(57)【特許請求の範囲】
【請求項１】
ブックブロック綴じ込み装置内において表紙に綴じ込むブックブロック（３）の表面を糊付けする装置であり、ブックブロック（３）の継ぎ目部分（２１）を糊付けするために回転軸に対して平行な肩部（２７）を形成する窪み（２２）を備えるとともにその回転位置は糊付け領域を通過するブックブロック（３）の継ぎ目形状に従って調節および変更可能な接着剤塗布装置（１０）の、糊付け領域において対向して配置され上方へ垂直移動する周回式の推進装置（６）のサドル板（５）上を搬送されるブックブロック（３）の外面（２）上を回転移動する２つの塗布ローラ（１１，１２）を備え、サドル板（５）の推進装置（６）と塗布ローラ（１１，１２）の回転動作は同期的に結合駆動され、推進装置（６）と塗布ローラ（１１，１２）との間の駆動結合内にサドル板（５）の位置と塗布ローラ（１１，１２）の回転位置との間の相対関係を無段式に変更するように調節可能な牽引要素伝達装置（１５）を設けることを特徴とする装置。
【請求項２】
牽引要素伝達装置（１５）は周回式の牽引要素（１４）を介して一方で推進装置（６）と他方で塗布ローラ（１１，１２）と駆動結合されることを特徴とする請求項１記載の装置。
【請求項３】
推進装置（６）および塗布ローラ（１１，１２）の駆動軸または従軸（８）の周りを周回する牽引要素（１４）は２つの断片から形成されていて、それらがそれぞれ横方向に離間した２つの転向ローラ（３３，３４；３５，３６）からなる固定的に取り付けられた１対のローラ群の周りでそれぞれ転向するとともに、前記１対のローラ群の転向ローラ（３３，３４；３５，３６）間において牽引要素（１４）の開口状の部分環状断片（３９，４０）をそれぞれ形成するようにしてガイド機構内において変位可能なスライド部材（４２）上に回転式に取り付けられた制御ローラ（３７，３８）の周りを周回するよう配設されることを特徴とする請求項２記載の装置。
【請求項４】
推進装置（６）および塗布ローラ（１１，１２）の駆動軸または従軸（８）の周りを周回する牽引要素（１４）は２つの断片から形成されていて、それらがそれぞれ１対のローラ群の横方向に離間した２つの制御ローラ（３７，３７′；３８，３８′）の間に固定的に取り付けられた転向ローラ（３３；３４）の周りに開口状の部分環状断片（３９；４０）をそれぞれ形成するとともにガイド機構内において変位可能なスライド部材（４２）上に回転式に取り付けられた１対のローラ群（３７，３７′；３８，３８′）の周りをそれぞれ周回するよう配設されることを特徴とする請求項２記載の装置。
【請求項５】
転向ローラ（３３ないし３６）と制御ローラ（３３，３４；３５，３６；３７，３７′；３８，３８′）との間の牽引要素（１４）の断片はスライド部材（４２）の位置調節によって長さ変更が可能な開口状の部分環状断片（３９，４０；３９′，４０′）として形成されることを特徴とする請求項３または４記載の装置。
【請求項６】
スライド部材（４２）は各対のローラ群（３３，３４；３５，３６；３７，３７′；３８，３８′）の両回転軸に沿って延在する平面に対して垂直にガイド機構内において変位可能である請求項５記載の装置。
【請求項７】
スライド部材（４２）を収容するよう形成されたガイド機構をブックブロック綴じ込み装置の枠部材と結合することを特徴とする請求項３ないし６のいずれかに記載の装置。
【請求項８】
スライド部材（４２）は制御可能なモータ（４８）に駆動結合することを特徴とする請求項３ないし７のいずれかに記載の装置。
【請求項９】
スライド部材（４２）は転向ローラ（３３ないし３６）または制御ローラ（３３，３４；３５，３６；３７，３７′；３８，３８′）とは反対の側にモータによって駆動されるネジ切りスピンドル（４７）によってボルト固定されたネジ切りブシュ（４６）を備えることを特徴とする請求項８記載の装置。
【請求項１０】
制御ローラ（３７，３７′；３８，３８′）は、スライド部材の位置を調節し、および／または牽引要素（１４）をスライド部材（４２）上に締め付けるためにスライド部材（４２）の移動方向に沿って変位可能な面板（５２，５３）上に取り付けることを特徴とする請求項３ないし９のいずれかに記載の装置。
【発明の詳細な説明】
【０００１】
【産業上の利用分野】
この発明は、ブックブロック綴じ込み装置内において表紙に綴じ込むブックブロックの表面を糊付けする装置に係り、ブックブロックの継ぎ目部分を糊付けするために回転軸に対して平行な肩部を形成する窪みを備えるともにその回転位置は糊付け領域を通過するブックブロックの継ぎ目形状に従って調節および変更可能な接着剤塗布装置の、糊付け領域において対向して配置され上方へ垂直移動する回転推進装置のサドル板上で搬送されるブックブロックの外面上を回転移動する２つの塗布ローラを備え、サドル板の推進装置と塗布ローラの回転動作は同期的に一体駆動される。
【０００２】
【従来の技術】
ブックブロック綴じ込み装置におけるブックブロックに対する接着剤塗布ローラの調節には、従来多大な時間を要するとともに機械を停止することによって可能となっていた。この際、窪みによって接着剤塗布ローラ上に形成された肩部をサドル板上で適宜な位置に搬送されたブックブロックの継ぎ目領域または継ぎ目角部に整合させるために、接着剤塗布ローラの駆動要素は主駆動要素から切り離す必要がある。
【０００３】
ドイツ特許第ＤＥ−Ｂ−３７１３８９６号公報によれば、接着剤塗布ローラの上方に位置表示装置を設け、これにいわゆるブックブロックの継ぎ目角度を同じ高さで整合させ、この際ブックブロックの整合位置によって推進装置の基準０位置を形成し、この上に接着剤塗布ローラの窪みの前方縁部または肩部を整合させることによって前記の問題点が解決される。この後、接着剤塗布ローラの駆動要素のローラ上の肩部に相当する位置点を推進装置の基準０点に符合させる。これによって、調節効果が改善されるとともに設備変更時間が短縮されるが、前述した問題点を解消するものではない。
【０００４】
【発明が解決しようとする課題】
従って、本発明の目的は、文頭に挙げた種類の装置において、接着剤塗布ローラのブックブロックに対する整合を質的および量的に大幅に改善することができるよう構造的な改良を施した装置を提供することである。
【０００５】
【課題を解決するための手段】
本発明によれば、前記の課題は、推進装置と塗布ローラとの間の駆動結合内にサドル板の位置と塗布ローラの回転位置との間の相対関係を無段式に変更するように調節可能な牽引要素伝達装置を設けることによって解決される。従って、搬送されるブックブロックと接着剤塗布ローラとの間の調節工程は、装置の稼動時においても、極めて短時間で正確かつ容易に実施し、また変更することができる。このため、主駆動軸からの解放は不要となる。
【０００６】
本発明に係る装置の好適な追加構成形態において、牽引要素伝達装置は例えばチェーンまたは歯型ベルト等の周回式牽引要素によって一方で推進装置と他方で塗布ローラと駆動結合され、これは既存の機械構造に対して簡単な取り付け操作によって適用することができる。
【０００７】
好適な実施例において、推進装置の駆動軸または従軸および塗布ローラの周りを周回する牽引要素は２つの断片からなり、これらはそれぞれ横方向に離間した２つの転向ローラの固定的に取り付けられた１対のローラ群の周りでそれぞれ転向するとともに、前記１対のローラ群の転向ローラ間において開口状の部分環状断片を形成するようにしてガイド機構内において変位可能なスライド部材上に回転式に取り付けられた制御ローラの周りを周回するよう配設される。
【０００８】
他方、推進装置および塗布ローラの駆動軸または従軸の周りを周回する牽引要素は、それぞれ１対のローラ群の横方向に離間した２つの制御ローラの間に固定的に取り付けられた転向ローラの周りに開口状の部分環状断片を形成するとともにガイド機構内において変位可能なスライド部材上に回転式に取り付けられた１対のローラ群の周りをそれぞれ周回するよう配設される、２つの断片から形成することができる。両方の牽引要素の構成は作用としては相違のないものであるが、後に挙げた構成例はより大寸法のスライド部材を必要とする。
【０００９】
さらに、各対のローラ群に滑車装置のように別のローラを追加することも可能であり、これによってスライド部材の調節工程はさらに減速して実施することができる。
【００１０】
スライド部材はガイド機構内において１対のローラ群の両回転軸に沿って延在する平面に対して垂直に調節可能とし、これによって対称関係を形成することが好適である。
【００１１】
取り付けを簡略化するために、スライド部材を収容するよう形成されたガイド機構をブックブロック綴じ込み装置の枠部材と結合することが好適である。
【００１２】
スライド部材は手動でまたは制御可能なモータによって駆動することができ、この際駆動は機械式または直線駆動によって実施することができる。
【００１３】
スライド部材は転向ローラまたはローラとは反対の側にモータによってまたは手動で駆動されるネジ切りスピンドルによってボルト固定されたネジ切りブシュを備えることが好適であり、これによって小型かつアクセスが容易な構造が達成される。
【００１４】
スライド部材を予め調節して牽引要素を引張するために、制御ローラまたは各対のローラ群をスライド部材上においてその移動方向に沿って位置調節可能な面板上に取り付けることが好適である。
【００１５】
次に、本発明の実施例につき添付図面を参照しながら説明するが、図面上には詳しい説明を省略した構成要素も含まれている。
【００１６】
【実施例】
図１および図２には、本発明に従って構成されたブックブロック綴じ込み装置においてブックブロック３の外面２に糊付けを行う装置１が示されている。図１の矢印Ｆは、回転する推進要素４に固定された複数のサドル板５の移動方向を示しており、これらのサドル板は周回式昇降機状の推進装置６を形成している。さらに、図１には推進軌道上におけるサドル板５の特定の位置を示しており、そこにおいて少なくとも略水平な上縁面７を有している。
【００１７】
推進装置６の駆動は駆動軸８上に固定されたスプロケット９を介して行われる。ブックブロック３は、開放された前面を下にして、ブックブロックを中央で広げるブロックディバイダを介して図１の矢印Ｂの方向に従って推進装置６の収容位置に搬送され、ここでサドル板５が軽く広げられたブックブロック３内に下から進入するようにしてこれを受容する。その後、サドル板５上にまたがって接合するブックブロック３は接着剤塗布装置１０内を上方に向かって垂直に通過し、ここで一方向から搬入された糊付けされた表紙が外面２またはブックブロック３の見返し部に擦り付けられる。図１において、接着剤塗布装置１０を構成する２つの塗布ローラ１１，１２の駆動は、推進装置６の駆動軸８と結合された中間軸１３を介して、ブラックボックスとして図示するともに以下に説明する調節可能な牽引要素伝達装置１５の牽引要素１４によって実施される。
【００１８】
図２に例として示された接着剤塗布装置１０は、実質的に塗布ローラ１１，１２と、これに付属する、接着剤容器２５内に収容された液状接着剤に部分的に沈み込んだ、周囲を成形加工された配量ローラ１６，１７とからなる。塗布ローラ１１，１２および配量ローラ１６，１７の回転方向は矢印によって示されている。同様に、サドル板５にまたがって配置されているブックブロック３の移動方向も矢印によって示されている。塗布ローラ１１，１２および計量ローラ１６，１７は、ともにその周囲の大部分において円筒形状の周囲面を有している。種々のローラの軸はずらして配置され、それらが近接する領域の大部分において配量された接着剤１９のためのコッタ１８を形成している。両方のローラ１１，１６または１２，１７はローラゾーン２０を上から下に延在し、ここで配量ローラ１６，１７は塗布ローラ１１，１２の表面に所定量の接着剤を付加する。接着剤塗布厚は、ローラ１１，１６または１２，１７の距離によって設定することができる。ここで塗布ローラ１１，１２は付着した接着剤をブックブロック３の外面２に塗布し、これはローラゾーン２０に略対向する領域が下から上に移動して塗布ローラ１１，１２と接触する。特にブックブロック３の継ぎ目または継ぎ目領域２１に良好な接着剤塗布を実施するために、塗布ローラ１１，１２は窪み２２を備えており、これは回転方向後端に形成される肩部２７がブックブロック３の継ぎ目２３を収容し得るよう充分に深いものとなる。これに従って、配量ローラ１６，１７上には窪み２２に対応する突出部２４が形成され、これはローラゾーン２０内に存在する際にローラ１１，１６あるいは１２，１７の回転に伴って窪み２２内に進入する。この際、突出部２４は、ローラゾーン２０内への進入に際してローラコッタ１８内に存在する接着剤分１９を維持し、窪み２２の平面が継ぎ目２３に接着剤を塗布するために必要な接着剤付加を受けることを保持する。窪み２２および突出部２４は、いずれもローラ１１，１６あるいは１２，１７の軸に平行で図面の平面に垂直に延在しており、同じ形状を有している。この塗布ローラ１１，１２および配量ローラ１６，１７の構成は従来の技術に属するものであり、例えば図１において接着剤容器２５に取り付けられた状態で概略的に示されている接着剤塗布装置１０の動作を説明するものである。ブックブロック綴じ込み装置内の推進装置６と接着剤塗布装置１０との間の特殊な構造のため、推進装置６と接着剤塗布装置１０との間の駆動結合は中間軸１３を有する駆動バックギア２６を備えており、この中間軸と駆動軸８との間には前述した調節可能な牽引要素伝達装置１５が配設されている。推進装置６の駆動軸８とローラ１１，１２，１６，１７の駆動輪２８との間の駆動結合は、例えばチェーンまたは歯型ベルト等の牽引要素１４，２９によって達成され、そのうち牽引要素１４は調節可能な牽引伝達装置１５を駆動するために設けられている。
【００１９】
ブックブロックの背を丸み付けすることにより、本の使用時における継ぎ目の形状および背形状の保持に影響を与える。ブックブロックの丸みはその厚さに応じて選択することができ、両側にいわゆるプレスをかけることによって所定の継ぎ目が形成され、続いてこれを対の塗布ローラによって糊付けする。このため、綴じ込みするブックブロック３の種々の継ぎ目形状に応じて塗布ローラを最適に調整することが特に重要である。丸み付けおよびプレス等に関しては、職業と修学社より出版されているリーバウ氏およびハインツェ氏著作の“製本工業”、ならびにその他の専門書により詳しく記載されている。
【００２０】
図３および図４には、推進装置６と接着剤塗布装置１０（図１参照）との間の駆動結合内に設置される牽引要素伝達装置１５の一構成例が示されている。推進装置６の駆動軸８上に取り付けられた歯型ベルト輪３０は牽引要素１４の駆動側に部分的に巻き付くとともに中間軸１３上に取り付けられた歯型ベルト輪６１とも駆動結合されている。軸８および１３を介して牽引要素１４が２つの断片３１，３２に区分され、これらに対して横方向に離間した２つの転向ローラ３３，３４あるいは３５，３６からなる固定された各１対のローラ群とその間に配置された変位可能な制御ローラ３７，３８とがそれぞれ割り当てられている。転向ローラ３３ないし３６または制御ローラ３７，３８の間において、牽引要素１４の断片３１，３２が向かい合って開口する部分環状断片３９，４０をそれぞれ形成し、その長さは変位可能な制御ローラ３７，３８によってそれぞれ変更される。
【００２１】
牽引要素１４の断片３１，３２の長さ変更によって、同期結合された駆動軸８と中間軸１３との間において無段式の移送変更を実施することができ、これによって稼動中に肩部２７を継ぎ目２３に対して最適に調整および再調整することが可能となる。図３の方向矢印Ａ，Ｂによって示されるように、ネジ切りスピンドル４７によってスライド部材４２をＸ＋方向に付勢する際、牽引要素断片３１の伸張または牽引要素断片３２の短縮が生じ、これは中間軸１３および駆動軸８の回転角に負の位相変化をもたらすよう作用する。スライド部材４２を反対方向Ｘ−に付勢することによって駆動軸８と中間軸１３との間に正の位相変化が生じる。
【００２２】
位相変化は、駆動軸および／または中間軸上に電動軸を設けることによっても実現することができるが、これは現在において非経済的であると判断される。
【００２３】
本発明に係る装置において、牽引要素断片３１，３２は転向ローラ３３ないし３６の外側部分に配置することもでき、従って制御ローラ３７，３８によって形成される環状断片は互いに反対方向を向いた開放端部を備え、これによって制御ローラ３７，３８はより近く、対のローラ群はより遠くに離間配置される。全てのローラ３３ないし３８は自由に回転し得るように取り付けられ、この際転向ローラ３３ないし３６はブックブロック綴じ込み装置の枠部材（図示されていない）に固定された板部材４１上に取り付けられ、制御ローラ３７，３８は対の転向ローラ３３，３４あるいは３５，３６の両軸に沿って延在する平面に対して垂直に移動可能なスライド部材４２上に取り付けられる。板部材４１のローラ３３ないし３８と反対側の面には、スライド部材４２の縦軸の両側に配置された２本の平行ガイド棒４３が固定されており、スライド部材４２はこの上を移動することができる。このため、スライド部材４２は、それぞれ板部材４１の凹部４４に貫入する、離間して配置された２つの軸受けブシュ４５を有する支持部材６２と、１つのドライバ４６とを備え、このドライバ内にはネジ切りスピンドル４７が進入しており、このスピンドルは別の端部にギアモータ４８と駆動結合されたスプロケット４９を備えている。ネジ切りスピンドル４７は板部材４１上に固定された支持部材５０に取り付けられ、ギアモータ４８は板部材４１に結合されたホルダ５１上に取り付けられている。歯型ベルトとして形成された牽引要素１４を調整または引張するために、制御ローラ３７，３８はそれぞれ面板５２，５３上に取り付けられ、これらの面板５２，５３はスライド部材４２の推進方向に移動可能であるとともにロックすることもできる。このため、制御ローラ３７，３８は、ボルト５４によって面板５２，５３上に固定された軸ピン５５上に取り付けられ、この上に歯型ベルト輪３７，３８を取り付けるための２つの深溝玉軸受け５６を備えている。
【００２４】
歯型ベルト１４の締め付けはいずれも締め付けボルト５７によって実施され、これは頭部側が面板５２，５３の推進方向内側の前面部に隆起するとともに、スライド部材４２上の面板５２，５３の間にビーム５８が移動可能にボルト固定されている。面板５２，５３はそれぞれ４つのガイドスロット５９を備えており、これをスライド部材４２内に固定されボルト頭部の下側にワッシャを備えたロックボルト６０が貫通している。
【００２５】
図５の牽引要素伝達装置１５は、制御ローラ３７，３８に代えてそれぞれ２つの制御ローラ３７，３７′ならびに３８，３８′が牽引要素断片および変位可能なスライド部材４２に対して設けられる点と、各牽引要素断片に対して制御ローラ３７，３７′または３８，３８′の間に配置されこれらとともに開口状の部分環状断片を形成する転向ローラ３３，３４を備え、これらがスライド部材４２の外側の装置枠部材上に自由に回転可能に取り付けられる点において図３および図４のものと異なっている。締め付け装置としては、図３および図４の構成と同様に、面板５２，５３がガイドスロット５９を用いてスライド部材４２上に変位可能に固定され、その上に制御ローラ３７，３７′；３８，３８′が取り付けられる。
【図面の簡単な説明】
【図１】  ブックブロック綴じ込み装置の綴じ込み機構を示す概略構成図である。
【図２】  図１に概略的に示された接着剤塗布装置の線II−IIに沿った部分断面図である。
【図３】  本発明の装置の牽引要素伝達装置を示す構成図である。
【図４】  図３の線IV−IVに沿った牽引要素伝達装置の断面図である。
【図５】  別の牽引要素伝達装置の概略構成図である。
【符号の説明】
１  装置
２  外面
３  ブックブロック
４  推進要素
５  サドル板
６  推進装置
７  上縁面
８  駆動軸
９，４９  スプロケット
１０  接着剤塗布装置
１１，１２  塗布ローラ
１３  中間軸
１４，２９  牽引要素
１５  牽引要素伝達装置
１６，１７  配量ローラ
１８  コッタ
１９  接着剤
２０  ローラゾーン
２１  継ぎ目領域
２２  窪み
２３  継ぎ目
２４  突出部
２５  容器
２６  駆動バックギア
２７  肩部
２８  駆動輪
３０，６１  歯型ベルト輪
３１，３２  断片
３３，３４，３５，３６  転向ローラ
３７，３８  制御ローラ
４１  板部材
４２  スライド部材
４３  ガイド棒
４４  凹部
４５  軸受けブシュ
４６  ドライバ
４７  スピンドル
４８  ギアモータ
５０  支持部材
５２，５３  面板
５４  ボルト
５５  軸ピン
５６  深溝玉軸受け
５７  締め付けボルト
５９  ガイドスロット
６０  ワッシャ
【図１】
0005048892.tif 000002
【図２】
0005048892.tif 000003
【図３】
0005048892.tif 000004
【図４】
0005048892.tif 000005
【図５】
0005048892.tif 000006